(57)【要約】【課題】各方向への操作時に必要な力を均一にし、かつ構造を単純化したスイッチ装置を提供する。【解決手段】常閉固定接点ＮＣと常開固定接点ＮＯを直交座標の両軸上に原点を挟んで対向するように配置し、原点上にも常閉固定接点ＮＣを配置したものを１組として、基板に３組配列して固定接点８１〜８３とする。固定接点８１〜８３に対応するコモン接点８４〜８６を基板に配列する。１つの導体に設けた２つの可動接点を１組として、可動片に３組配列して可動接点群７ａ〜７ｆとする。導体７１〜７３の可動接点７ａ、７ｃ、７ｅを各固定接点８１〜８３に接触するように設け、可動接点群７ａ〜７ｆの摺動に伴って常閉固定接点ＮＣと常開固定接点ＮＯとの接触が切り替わるようにし、可動接点７ｂ、７ｄ、７ｆを常にコモン接点８４〜８６に接触するように設ける。常閉固定接点ＮＣと常開固定接点ＮＯの配列は各固定接点８１〜８３で異ならせる。【選択図】図５Ａ
2008166103.tif 000002
【特許請求の範囲】
【請求項１】
可動接点群が設けられた可動片と、複数組の固定接点とそれに対応する複数組のコモン接点が設けられた基板とを備え、前記固定接点は常閉固定接点と常開固定接点とから成り、前記可動片を操作して前記可動接点群を前記複数組の固定接点上で摺動させることにより、前記可動接点群と前記複数組の固定接点とを接触または非接触の状態にするとともに、前記可動接点群と前記複数組のコモン接点とを常に接触の状態にして、スイッチのＯＮまたはＯＦＦを実現するスイッチ装置において、
前記固定接点は、常閉固定接点と常開固定接点とが直交座標の両軸上に原点を挟んで対向するように配置され、原点上にも常閉固定接点が設けられたものを１組として、３組配列されて成り、
前記可動接点群は、１つの導体に設けられた２つの可動接点を１組として、３組配列されて成り、
前記各導体の２つの可動接点のうち、一方の可動接点は、前記各固定接点に接触するように設けられ、前記可動接点群の摺動に伴って前記常閉固定接点または前記常開固定接点との接触が切り替わり、他方の可動接点は、常に前記コモン接点に接触するように設けられ、
前記常閉固定接点と前記常開固定接点の配列は、前記各固定接点で異なることを特徴とするスイッチ装置。
【請求項２】
請求項１に記載のスイッチ装置おいて、
前記可動接点群は、１つの可動片に設けられていることを特徴とするスイッチ装置。
【請求項３】
請求項１に記載のスイッチ装置おいて、
前記可動片を前記直交座標の両軸に沿って移動させるガイドを設けたことを特徴とするスイッチ装置。
【発明の詳細な説明】
【技術分野】
【０００１】
本発明は、直交座標軸に沿って操作することによりＯＮ／ＯＦＦが切り替わるスイッチ装置の接点構造に関するものである。
【背景技術】
【０００２】
自動車の運転席のアームレストや前面パネル等には、パワーミラー装置を操作するスイッチモジュールが配設されている。このスイッチモジュールには、左右のサイドミラーの視角を調節するスイッチ装置が設けられている。一般にこのスイッチ装置は、上、下、左、および右の４方向に対応するスイッチング（ＯＮまたはＯＦＦの状態の切り替え）が可能な４方向スイッチから成る（例えば、下記の特許文献１〜４参照）。
【０００３】
特許文献１および２には、操作部材の４つ操作部とゴムバネの４つのバネ部とにより、３つのスイッチ素子を選択的に切り替えて駆動して、４方向のスイッチングを実現する構造が開示されている。スイッチ素子は、基板、基板に設けられた固定接点、基板上を摺動するスライダ、およびスライダに配設された可動接点から構成されている。このような構造では、操作部材を押す位置によって、固定接点上で摺動するスライダおよび可動接点が１つまたは２つになるので、クリック特性に差異が生じ、操作に違和感を覚える。そこで、クリック感を均一にするため、特許文献１では、スイッチ素子のないバネ部と対向する操作部の傾斜角度を、スイッチ素子のあるバネ部と対向する操作部の傾斜角度より大きくしている。特許文献２では、２つの可動接点を同時に可動させる２つのバネ部のうち、一方のクリック率を他方のクリック率より高くしている。しかしこのようにしても、各部の寸法や組み立ての誤差により、操作部材を押す位置によって、操作時に必要な力やクリック特性に差異が生じ、操作に違和感を覚えるおそれがある。また、特許文献１および２のスイッチ装置では、３つのスイッチ素子を選択的に切り替える必要があり、構造が複雑になる。
【０００４】
特許文献３には、一対の可動接点を並び方向と４５°傾いた直交座標に沿って操作するように構成し、一対の可動接点と６つの固定接点とにより４つの単極単投形スイッチと等価な開閉機能を発揮するスイッチの接点構造が開示されている。特許文献４には、一対の可動接点を２つ設け、直交座標軸上に原点を介して対向する４つの固定接点から成る固定接点パターンを４組設けて、４方向のスイッチングを実現する構造が開示されている。
【０００５】
特許文献４の構造の場合、各可動接点を固定接点上で直交座標軸に沿った一方向へ摺動させると、４つの可動接点と４つの固定接点とが同時に接触する。また、電気回路上は、例えば図８に示すように８つのスイッチＳａ〜Ｓｈが設けられた構成となる。図８は、従来のパワーミラー装置の電気回路図である。図８において、一点鎖線で囲まれている部分は、パワーミラー装置用のスイッチモジュールである。二点鎖線で囲まれている４つの部分は、サイドミラーの視角調節用のスイッチ装置である。スイッチＳａ〜Ｓｈは、上述した特許文献３または特許文献４の可動接点と固定接点等から成る。スイッチＳａ、Ｓｂはサイドミラーを上向きに傾動操作するものであり、同時に開閉する。スイッチＳｃ、Ｓｄはサイドミラーを下向きに傾動操作するものであり、同時に開閉する。スイッチＳｅ、Ｓｆはサイドミラーを左向きに傾動操作するものであり、同時に開閉する。スイッチＳｇ、Ｓｈはサイドミラーを右向きに傾動操作するものであり、同時に開閉する。Ｃはコネクタの端子である。Ｓｘ、Ｓｙは視角調節対象を左サイドミラーか右サイドミラーのいずれかに切り替えるスイッチである。スイッチＳｘ、Ｓｙは同時に開閉する。Ｍ１は左サイドミラーを上下へ傾動させるモータである。Ｍ２は左サイドミラーを左右へ傾動させるモータである。Ｍ３は右サイドミラーを上下へ傾動させるモータである。Ｍ４は右サイドミラーを左右へ傾動させるモータである。スイッチＳｂ、Ｓｄ、Ｓｆ、Ｓｈは、電源ＡＣＣからモータＭ１〜Ｍ４へと電流を流す回路を開閉する。スイッチＳａ、Ｓｃ、Ｓｅ、Ｓｇは、モータＭ１〜Ｍ４からグランドＧＮＤへと電流を流す回路を開閉する。スイッチＳｘ、Ｓｙは、上記両回路を開閉する。
【０００６】
例えば、スイッチＳｘ、Ｓｙを破線で示すように左側の接点に接触させてＯＮした状態で、各可動接点をサイドミラーの上方向に対応する直交座標軸に沿った一方向へ摺動させると、スイッチＳａ、Ｓｂが破線で示すように接点に接触してＯＮ状態になり、電源ＡＣＣから左サイドミラー用の上下モータＭ１へと電流を流す回路と、該上下モータＭ１からグランドＧＮＤへと電流を流す回路とが閉状態になる。これにより、上下モータＭ１に上から下へ電流が流れて、左サイドミラーが上向きに傾動する。また、スイッチＳｘ、Ｓｙを破線で示すように右側の接点に接触させてＯＮした状態で、各可動接点をサイドミラーの右方向に対応する直交座標軸に沿った一方向へ摺動させると、スイッチＳｇ、Ｓｈが破線で示すように接点に接触してＯＮ状態になり、電源ＡＣＣから右サイドミラー用の左右モータＭ４へ電流を流す回路と、該左右モータＭ４からグランドＧＮＤへと電流を流す回路とが閉状態になる。これにより、左右モータＭ４に下から上へ電流が流れて、右サイドミラーが右向きに傾動する。
【０００７】
【特許文献１】特許第３７６６２５１号公報
【特許文献２】特許第３７６６２５２号公報
【特許文献３】特許第２５００４４５号公報
【特許文献４】特開２００２−２４５９０１号公報
【発明の開示】
【発明が解決しようとする課題】
【０００８】
本発明の課題とするところは、各方向への操作時に必要な力を均一にし、かつ構造を単純化したスイッチ装置を提供することにある。
【課題を解決するための手段】
【０００９】
本発明では、可動接点群が設けられた可動片と、複数組の固定接点とそれに対応する複数組のコモン接点が設けられた基板とを備え、固定接点は常閉固定接点と常開固定接点とから成り、可動片を操作して可動接点群を複数組の固定接点上で摺動させることにより、可動接点群と複数組の固定接点とを接触または非接触の状態にするとともに、可動接点群と複数組のコモン接点とを常に接触の状態にして、スイッチのＯＮまたはＯＦＦを実現するスイッチ装置において、固定接点は、常閉固定接点と常開固定接点とが直交座標の両軸上に原点を挟んで対向するように配置され、原点上にも常閉固定接点が設けられたものを１組として、３組配列されて成り、可動接点群は、１つの導体に設けられた２つの可動接点を１組として、３組配列されて成り、各導体の２つの可動接点のうち、一方の可動接点は、各固定接点に接触するように設けられ、可動接点群の摺動に伴って常閉固定接点または常開固定接点との接触が切り替わり、他方の可動接点は、常にコモン接点に接触するように設けられ、常閉固定接点と常開固定接点の配列は、各固定接点で異なる。
【００１０】
上記によると、可動片の操作により、可動接点群、即ち全ての可動接点を固定接点上とコモン接点上で摺動させて、該接点同士を接触または非接触の状態にし、スイッチをＯＮまたはＯＦＦに切り替えるので、構造が単純化されて各部の寸法や組み立ての誤差の影響を受けず、可動片の直交座標軸に沿った各４方向への操作時に必要な力を均一にすることができ、操作に違和感を覚えることはない。
【００１１】
また、本発明の一実施形態では、上記スイッチ装置において、可動接点群を１つの可動片に設ける。これにより、可動接点群が１つの可動片に一体化されて、可動接点と可動片およびこれらと他の各部の組み立て精度が上がり、組み立て工数が減少し、組み立て性を良好にすることができる。
【００１２】
さらに、本発明の一実施形態では、上記スイッチ装置において、可動片を直交座標の両軸に沿って移動させるガイドを設ける。これにより、可動片および可動接点群が直交座標軸上から逸れた方向へ移動するのを確実に防止することができ、スイッチのＯＮまたはＯＦＦの切り替えを確実にすることが可能となる。
【発明の効果】
【００１３】
本発明によれば、可動片の操作により、全可動接点を固定接点上とコモン接点上で摺動させて、スイッチをＯＮまたはＯＦＦに切り替えるので、可動片の各方向への操作時に必要な力を均一にできるとともに、構造を単純化することができる。
【発明を実施するための最良の形態】
【００１４】
図１および図２は、車載用のスイッチモジュール１００の斜視図である。スイッチモジュール１００は、パワーミラー装置を操作するものであって、自動車の運転席のアームレストに配設される。スイッチモジュール１００の前部には、スイッチ装置１０、２０、３０が設けられている。図３Ａおよび図３Ｂは、スイッチモジュール１００およびスイッチ装置１０の断面図である。詳しくは、図３Ａと図３Ｂでは、スイッチモジュール１００およびスイッチ装置１０の縦断面をスイッチ装置２０、３０側から見た状態を示している。スイッチ装置１０は４方向スイッチから成り、自動車の左右のサイドミラーの視角を調節するものである。スイッチ装置１０は、本発明におけるスイッチ装置の一実施形態を構成する。スイッチ装置２０はスライドスイッチから成り、視角調節対象のサイドミラーを切り替えるものである。スイッチ装置３０はプッシュスイッチから成り、左右のサイドミラーを起立または倒伏するものである。
【００１５】
図３Ａに示すように、スイッチモジュール１００のケース４１の下方は開口されていて、カバー４２を嵌め込むことにより塞がれる。ケース４１内には、基板８が設けられている。基板８は、ケース４１とカバー４２とで上下から支持されている。基板８上には、図２に示すようにスイッチ装置２０のスライド式のスイッチ２４、スイッチ装置３０の押し込み式のスイッチ３４、図示しないその他の電子部品と電気回路が実装されている。スイッチ２４のアクチュエータ２３には、操作軸２２の下端が係合されている。操作軸２２は、ケース４１に設けられた筒４４（図１）を貫通して、ケース４１上に突出している。操作軸２２の上端には、操作ノブ２１が筒４４の上部開口を覆うように取り付けられている。操作ノブ２１を左右Ｌ、Ｒ（スイッチ装置３０に対して離れる方向Ｌと近づく方向Ｒ）に操作することで、アクチュエータ２３が操作軸２２に引っ張られて左右Ｌ、Ｒに移動し、スイッチ２４のＯＮ／ＯＦＦ状態が切り替わって、視角調節対象が左サイドミラーまたは右サイドミラーになる。スイッチ３４のアクチュエータ３３は、ケース４１に設けられた筒４５（図１）を貫通して、ケース４１上に突出している。アクチュエータ３３の上端には、操作ノブ３１が筒４５の上部開口を覆うように取り付けられている。操作ノブ３１を下方へ押し操作することで、アクチュエータ３３がスイッチ３４内に押し込まれ、スイッチ３４のＯＮ／ＯＦＦ状態が切り替わって、左右のサイドミラーが起立または倒伏する。
【００１６】
図３Ａに示すように、ケース４１の上部と内部には、筒４３、４６が連通するように設けられている。筒４３の内面には、ふし４３ａが設けられている。操作軸２は筒４３、４６を貫通して、ケース４１の上部と内部に突出している。操作軸２の上端には、操作ノブ１が筒４３の上部開口を覆うように取り付けられている。操作ノブ１の上面には、図１および図２に示すように４つの三角形のマーク１Ｕ、１Ｄ、１Ｌ、１Ｒが設けられている。前Ｕ側にあるマーク１Ｕは、各サイドミラーの上方向に対応する方向を指している。後Ｄ側にあるマーク１Ｄは、各サイドミラーの下方向に対応する方向を指している。左Ｌ側にあるマーク１Ｌは、各サイドミラーの左方向に対応する方向を指している。右Ｒ側にあるマーク１Ｒは、各サイドミラーの右方向に対応する方向を指している。
【００１７】
操作軸２の中央には、鍔３が取り付けられている。図３Ａに示すように鍔３とふし４３ａの間の操作軸２の周囲には、コイルばね４が設けられている。コイルばね４は、鍔３とふし４３ａを互いに離れる方向へ押している。コイルばね４が鍔３とふし４３ａを押すことにより、操作軸２に設けられた段差部２ａがふし４３ａに係合し、操作軸２が基板８に対して垂直な姿勢で保持されている。操作軸２の下端部は、ガイド５に設けられた孔５ａを貫通して、可動片６に設けられた孔６ａに嵌め込まれている。ガイド５の孔５ａは、図２に示すように前Ｕ、後Ｄ、左Ｌ、および右Ｒへと拡がる直交座標軸上に形成されている。ガイド５は、図３Ａに示すように筒４６に設けられた段差面４６ａと可動片６に設けられた突起６ｂによって上下から支持されている。また、ガイド５は、基板８と平行に移動できないように筒４６の側壁によって動きが制限されている。
【００１８】
操作ノブ１の上面のマーク１Ｕ、１Ｄ、１Ｌ、１Ｒのいずれかの位置を指で押し操作すると、図３Ｂに示すように操作ノブ１と操作軸２が該マーク１Ｕ、１Ｄ、１Ｌ、１Ｒのある前Ｕ、後Ｄ、左Ｌ、または右Ｒのいずれかの方向へ傾き、可動片６がその反対方向へ基板８と平行に移動する。つまり、可動片６が直交座標軸に沿った４方向Ｕ、Ｄ、Ｌ、Ｒのいずれかへ操作される。図３Ｂは、操作ノブ１のマーク１Ｒの位置が押されて、操作ノブ１と操作軸２がＲ方向へ傾き、可動片６がＬ方向へ移動操作された状態を示している。上記操作時にガイド５は、前、後、左、または右のいずれかの方向へ操作ノブ１と操作軸２を傾けて、可動片６を移動させるように案内する。操作ノブ１と操作軸２の傾き量および可動片６の移動量は、操作ノブ１の下端面１ａがケース４１の筒４３の段差面４３ｂに接触することで制限される。操作ノブ１の押し操作を解除すると、コイルばね４の力により、図１、図２、および図３Ａに示すように操作ノブ１、操作軸２、および可動片６が元の中立状態に復帰する。
【００１９】
図４は、中立状態（図３Ａの状態）にある可動片６の近傍を上方（操作ノブ１側）から見た図である。図５Ａ〜図５Ｅは、可動片６と基板８に設けられた接点の接触状態を示す図である。可動片６は合成樹脂で形成されている。可動片６には、図４に示すようにばね性を有する３つの導体７１〜７３が設けられている。基板８はガラスエポキシ樹脂等で形成されている。基板８上には、複数組の固定接点８１〜８３とそれに対応する複数組のコモン接点８４〜８６が設けられている。可動接点８１〜８３とコモン接点８４〜８６は導体で形成されている。固定接点８１〜８３は、図５Ａに示すように常閉固定接点ＮＣと常開固定接点ＮＯから成る。具体的には、固定接点８１〜８３は、常閉固定接点ＮＣと常開固定接点ＮＯとが直交座標の両軸（図５Ａの固定接点８１の位置にのみ一点鎖線で図示）上に原点を挟んで対向するように配置され、原点上にも常閉固定接点ＮＣが設けられたものを１組として、左右方向Ｌ、Ｒに３組配列されて成る。つまり、各固定接点８１〜８３には、常閉固定接点ＮＣが３つ有り、常開固定接点ＮＯが２つ有る。各固定接点８１〜８３において、３つの常閉固定接点ＮＣは連続し、２つの常開固定接点ＮＯは連続している。また、常閉固定接点ＮＣと常開固定接点ＮＯの配列は、各固定接点８１〜８３で異なる。各コモン接点８４〜８６は、直交座標の両軸に沿って拡がるように設けられている。また、各コモン接点８４〜８６は、各固定接点８１〜８３の後Ｄ側で左右方向Ｌ、Ｒに配列されている。
【００２０】
可動片６の各導体７１〜７３は、図６に示すような形状に形成されている。図６は、各導体７１〜７３のＵ、Ｄ方向の断面図である。各導体７１〜７３には、２つずつ可動接点７ａ〜７ｆが下方へ突出するように設けられている。つまり、可動接点群７ａ〜７ｆは、１つの導体に設けられた２つの可動接点を１組として、３組配列されて成る。可動接点群７ａ〜７ｆは、可動片６から下方へ突出して、基板８上に所定の圧力で接触している。可動片６が前Ｕ、後Ｄ、左Ｌ、または右Ｒのいずれかの方向へ操作されることで、可動接点群７ａ〜７ｆが固定接点８１〜８３上とコモン接点８４〜８６上をそれと同じ方向へ摺動する。各導体７１〜７３の２つの可動接点７ａ〜７ｆのうち、前Ｕ側の可動接点７ａ、７ｃ、７ｅは、各固定接点８１〜８３に接触するように設けられていて、可動接点群７ａ〜７ｆの摺動に伴って常閉固定接点ＮＣまたは常開固定接点ＮＯとの接触状態が切り替わる。後Ｄ側の可動接点７ｂ、７ｄ、７ｆは、常に各コモン接点８４〜８６に接触するように設けられている。このような構造により電気回路上は、導体７１、可動接点７ａ、７ｂ、固定接点８１、およびコモン接点８４によりスイッチＳ１が構成される。また、導体７２、可動接点７ｃ、７ｄ、固定接点８２、およびコモン接点８５によりスイッチＳ２が構成される。さらに、導体７３、可動接点７ｅ、７ｆ、固定接点８３、およびコモン接点８６によりスイッチＳ３が構成される。
【００２１】
図７は、スイッチモジュール１００で操作するパワーミラー装置の電気回路図である。図において、サイドミラーを起立または倒伏するスイッチ装置やモータ等の構成については図示を省略している。一点鎖線で囲まれている部分がスイッチモジュール１００である。二点鎖線で囲まれている３つの部分がスイッチ装置１０に設けられた上述の３つのスイッチＳ１〜Ｓ３である。Ｃはコネクタの端子である。Ｓｘ、Ｓｙは視角調節対象を左サイドミラーか右サイドミラーのいずれかに切り替えるスイッチである。スイッチＳｘ、Ｓｙはスイッチ装置２０に設けられ、同時に開閉する。Ｍ１は左サイドミラーを上下へ傾動させるモータである。Ｍ２は左サイドミラーを左右へ傾動させるモータである。Ｍ３は右サイドミラーを上下へ傾動させるモータである。Ｍ４は右サイドミラーを左右へ傾動させるモータである。
【００２２】
図１、図２、図３Ａ、および図５Ａに示すようにスイッチ装置１０、２０が中立状態にある場合は、スイッチモジュール１００の各スイッチＳ１〜Ｓ３、Ｓｘ、Ｓｙは図７に実線で示すようなＯＦＦ状態にある。左右のサイドミラーはスイッチ装置３０の操作により起立している。この状態から、スイッチ装置２０の操作ノブ２１を左Ｌまたは右Ｒのいずれかの方向へスライド操作すると、スイッチＳｘ、Ｓｙが破線で示すように左右のいずれかの接点に接触してＯＮ状態になる。さらに、スイッチ装置１０の操作ノブ１の上面のマーク１Ｕ、１Ｄ、１Ｌ、１Ｒのいずれかの位置を指で押し操作すると、図３Ｂに示すように操作ノブ１と操作軸２が前Ｕ、後Ｄ、左Ｌ、または右Ｒのいずれかの方向へ傾き、可動片６がその反対方向へ移動して、可動接点群７ａ〜７ｆが固定接点８１〜８３上およびコモン接点８４〜８６上で摺動する。そして、可動接点群７ａ〜７ｆと固定接点８１〜８３の接触状態が変化して、スイッチＳ１〜Ｓ３のＯＮ／ＯＦＦ状態が切り替わる。
【００２３】
具体的には、操作ノブ１のマーク１Ｕの位置を指で押すと、操作ノブ１と操作軸２が前Ｕ側へ傾き、可動片６が後Ｄ側へ移動して、可動接点群７ａ〜７ｆが固定接点８１〜８３上およびコモン接点８４〜８６上で摺動する。そして、図５Ｂに示すように可動接点７ａが固定接点８１の常開固定接点ＮＯに接触し、可動接点７ｃ、７ｅが固定接点８２、８３の常閉固定接点ＮＣに接触し、可動接点７ｂ、７ｄ、７ｆがコモン接点８４〜８６に接触する。すると、図７でスイッチＳ１が破線で示すように常開固定接点ＮＯに接触してＯＮ状態になり、スイッチＳ２、Ｓ３が実線で示すように常閉固定接点ＮＣに接触したままＯＦＦ状態になる。これにより、電流が電源ＡＣＣからスイッチＳ１の常開固定接点ＮＯとコモン接点８４とを通って、上下モータＭ１、Ｍ３のいずれかに上から下へ流れ、スイッチＳｘの左右の接点のいずれかとスイッチＳ３のコモン接点８６と常閉固定接点ＮＣとを通って、グランドＧＮＤへ流れて行く。このため、左右のサイドミラーのいずれか一方が上向きに傾動する。
【００２４】
また、操作ノブ１のマーク１Ｄの位置を指で押すと、操作ノブ１と操作軸２が後Ｄ側へ傾き、可動片６が前Ｕ側へ移動して、可動接点群７ａ〜７ｆが固定接点８１〜８３上およびコモン接点８４〜８６上で摺動する。そして、図５Ｃに示すように可動接点７ａが固定接点８１の常閉固定接点ＮＣに接触し、可動接点７ｃ、７ｅが固定接点８２、８３の常開固定接点ＮＯに接触し、可動接点７ｂ、７ｄ、７ｆがコモン接点８４〜８６に接触する。すると、図７でスイッチＳ１が実線で示すように常閉固定接点ＮＣに接触したままＯＦＦ状態になり、スイッチＳ２、Ｓ３が破線で示すように常開固定接点ＮＯに接触してＯＮ状態になる。これにより、電流が電源ＡＣＣからスイッチＳ３の常開固定接点ＮＯとコモン接点８６とスイッチＳｘの左右の接点のいずれかを通って、上下モータＭ１、Ｍ３のいずれかに下から上へ流れ、スイッチＳ１のコモン接点８４と常閉固定接点ＮＣとを通って、グランドＧＮＤへ流れて行く。このため、左右のサイドミラーのいずれか一方が下向きに傾動する。
【００２５】
また、操作ノブ１のマーク１Ｌの位置を指で押すと、操作ノブ１と操作軸２が左Ｌ側へ傾き、可動片６が右Ｒ側へ移動して、可動接点群７ａ〜７ｆが固定接点８１〜８３上およびコモン接点８４〜８６上で摺動する。そして、図５Ｄに示すように可動接点７ａ、７ｅが固定接点８１、８３の常開固定接点ＮＯに接触し、可動接点７ｃが固定接点８２の常閉固定接点ＮＣに接触し、可動接点７ｂ、７ｄ、７ｆがコモン接点８４〜８６に接触する。すると、図７でスイッチＳ１、Ｓ３が破線で示すように常開固定接点ＮＯに接触してＯＮ状態になり、スイッチＳ２が実線で示すように常閉固定接点ＮＣに接触したままＯＦＦ状態になる。これにより、電流が電源ＡＣＣからスイッチＳ３の常開固定接点ＮＯとコモン接点８６とスイッチＳｘの左右の接点のいずれかを通って、左右モータＭ２、Ｍ４のいずれかに下から上へと流れ、スイッチＳｙの左右の接点のいずれかとスイッチＳ２のコモン接点８５と常閉固定接点ＮＣとを通って、グランドＧＮＤへ流れて行く。このため、左右のサイドミラーのいずれか一方が左向きに傾動する。
【００２６】
さらに、操作ノブ１のマーク１Ｒの位置を指で押すと、操作ノブ１と操作軸２が右Ｒ側へ傾き、可動片６が左Ｌ側へ移動して、可動接点群７ａ〜７ｆが固定接点８１〜８３上およびコモン接点８４〜８６上で摺動する。そして、図５Ｅに示すように可動接点７ａ、７ｅが固定接点８１、８３の常閉固定接点ＮＣに接触し、可動接点７ｃが固定接点８２の常開固定接点ＮＯに接触し、可動接点７ｂ、７ｄ、７ｆがコモン接点８４〜８６に接触する。すると、図７でスイッチＳ２が破線で示すように常開固定接点ＮＯに接触してＯＮ状態になり、スイッチＳ１、Ｓ３が実線で示すように常閉固定接点ＮＣに接触したままＯＦＦ状態になる。これにより、電流が電源ＡＣＣからスイッチＳ２の常開固定接点ＮＯとコモン接点８５とスイッチＳｙの左右の接点のいずれかを通って、左右モータＭ２、Ｍ４のいずれかに上から下へ流れ、スイッチＳｘの左右の接点のいずれかとスイッチＳ３のコモン接点８６と常閉固定接点ＮＣとを通って、グランドＧＮＤへ流れて行く。このため、左右のサイドミラーのいずれか一方が右向きに傾動する。
【００２７】
操作ノブ１の押し操作を解除すると、コイルばね４の力により、図１、図２、および図３Ａに示すように操作ノブ１、操作軸２、および可動片６が元の中立状態に復帰し、可動接点群７ａ〜７ｆが固定接点８１〜８３上およびコモン接点８４〜８６上で摺動して、図４および図５Ａに示すように元の接触状態に復帰する。
【００２８】
上記によると、操作ノブ１と操作軸２により可動片６を直交座標軸に沿った前Ｕ、後Ｄ、左Ｌ、または右Ｒの各４方向へ移動操作することで、全ての可動接点７ａ〜７ｆを固定接点８１〜８３上とコモン接点８４〜８６上で摺動させて、該接点同士を接触または非接触の状態にし、スイッチＳ１〜Ｓ３をＯＮまたはＯＦＦに切り替えることができる。つまり、可動片６の各４方向Ｕ、Ｄ、Ｌ、Ｒへの移動操作時に、固定接点８１〜８３上とコモン接点８４〜８６上で摺動する可動接点７ａ〜７ｆの数が常に６つであって、従来の特許文献１、２の構造のように変わることがない。このため、構造が単純化されて各部の寸法や組み立ての誤差の影響を受けず、可動片６の各４方向Ｕ、Ｄ、Ｌ、Ｒへの操作時に必要な力とクリック感を均一にすることが可能となり、操作に違和感を覚えることはない。
【００２９】
また、可動接点群７ａ〜７ｆを１つの可動片６に設けて一体化しているので、可動接点７ａ〜７ｆを設けた導体７１〜７３と可動片６およびこれらと他の各部の組み立て精度が上がり、組み立て工数が減少し、組み立て性を良好にすることができる。
【００３０】
さらに、可動片６を直交座標の両軸に沿って移動させるガイド５を設けているので、可動片６および可動接点群７ａ〜７ｆが直交座標軸上から逸れた方向へ移動するのを確実に防止することができ、スイッチＳ１〜Ｓ３のＯＮ／ＯＦＦの切り替えを確実にすることが可能となる。
【００３１】
以上述べた実施形態では、本発明を、自動車のパワーミラー装置に組み合わされるサイドミラーの視角調節用のスイッチ装置１０に適用した例を挙げたが、本発明は、これ以外の用途に用いられるスイッチ装置にも適用することが可能である。
【図面の簡単な説明】
【００３２】
【図１】実施形態に係るスイッチモジュールの斜視図である。
【図２】実施形態に係るスイッチモジュールの斜視図である。
【図３Ａ】実施形態に係るスイッチ装置の断面図である。
【図３Ｂ】実施形態に係るスイッチ装置の断面図である。
【図４】実施形態に係るスイッチ装置の可動片の近傍図である。
【図５Ａ】実施形態に係るスイッチ装置の接点の接触状態図である。
【図５Ｂ】実施形態に係るスイッチ装置の接点の接触状態図である。
【図５Ｃ】実施形態に係るスイッチ装置の接点の接触状態図である。
【図５Ｄ】実施形態に係るスイッチ装置の接点の接触状態図である。
【図５Ｅ】実施形態に係るスイッチ装置の接点の接触状態図である。
【図６】実施形態に係るスイッチ装置の導体の断面図である。
【図７】実施形態に係るパワーミラー装置の電気回路図である。
【図８】従来のパワーミラー装置の電気回路図である。
【符号の説明】
【００３３】
１  操作ノブ
２  操作軸
５  ガイド
６  可動片
７ａ〜７ｆ  可動接点
８  基板
１０  スイッチ装置
７１〜７３  導体
８１〜８３  固定接点
８４〜８６  コモン接点
ＮＣ  常閉固定接点
ＮＯ  常開固定接点
Ｓ１〜Ｓ３  スイッチ
【図１】
2008166103.tif 000003
【図２】
2008166103.tif 000004
【図３Ａ】
2008166103.tif 000005
【図３Ｂ】
2008166103.tif 000006
【図４】
2008166103.tif 000007
【図５Ａ】
2008166103.tif 000008
【図５Ｂ】
2008166103.tif 000009
【図５Ｃ】
2008166103.tif 000010
【図５Ｄ】
2008166103.tif 000011
【図５Ｅ】
2008166103.tif 000012
【図６】
2008166103.tif 000013
【図７】
2008166103.tif 000014
【図８】
2008166103.tif 000015